(57)【要約】【課題】  所定時間が経過するのを待たずに記録を停止させることができ、また、消去する手間をなくす。【解決手段】  撮像手段と、前記撮像手段により得られた動画信号を記録媒体に記録する記録手段と、記録開始の指示に応じて前記動画信号の記録を開始し、前記動画信号の記録開始後、所定時間が経過したことに応じて自動的に記録を停止するように前記記録手段を制御する制御手段とを備え、前記動画信号の記録開始後、前記所定時間時間よりも短い第１の時間が経過するまでに所定の操作部からの指示を受けたことに応じて、前記動画信号の記録を停止して前記記録を停止した動画信号を前記記録媒体から消去するように前記記録手段を制御する。【選択図】  図１
2013021657.tif 000002
【特許請求の範囲】
【請求項１】
撮像手段と、
前記撮像手段により得られた動画信号を記録媒体に記録する記録手段と、
記録開始の指示に応じて前記動画信号の記録を開始し、前記動画信号の記録開始後、所定時間が経過したことに応じて自動的に記録を停止するように前記記録手段を制御する制御手段とを備え、
前記動画信号の記録開始後、前記所定時間よりも短い第１の時間が経過するまでに所定の操作部からの指示を受けたことに応じて、前記動画信号の記録を停止して前記記録を停止した動画信号を前記記録媒体から消去するように前記記録手段を制御することを特徴とする撮像装置。
【請求項２】
前記制御手段は、前記動画信号の記録開始後、前記所定時間よりも短く、前記第１の時間よりも長い第２の時間が経過した後で前記所定の操作部からの指示を受けたことに応じて、前記所定時間が経過した後も前記動画信号を記録するように前記記録手段を制御することを特徴とする請求項１に記載の撮像装置。
【請求項３】
前記制御手段は、前記所定の操作部の操作に応じて前記動画信号の記録を開始するように前記記録手段を制御することを特徴とする請求項１に記載の撮像装置。
【発明の詳細な説明】
【技術分野】
【０００１】
本発明は撮像装置に関する。
【背景技術】
【０００２】
従来、撮影開始から決められた時間が経過すると、自動的に撮影を停止する機能を備えたビデオカメラが知られている（例えば、特許文献１参照）。
【先行技術文献】
【特許文献】
【０００３】
【特許文献１】特開平０６−１５３０２８号公報
【発明の概要】
【発明が解決しようとする課題】
【０００４】
しかしながら、従来の装置では、自動的に記録を停止するモードでは、記録開始後、一定時間が経過するまでは記録を停止することができない。そのため、撮影に失敗したとユーザが判断した場合、ユーザは記録が停止されるまでは、次のシーンが撮影できなかった。更に、失敗したシーンをユーザが自分で消去する必要があり、使い勝手が悪いものであった。
【０００５】
本発明は、簡単な操作で、所定時間が経過するのを待たずに記録を停止させることができ、また、消去する手間をなくすことを目的とする。
【課題を解決するための手段】
【０００６】
撮像装置は、撮像手段と、前記撮像手段により得られた動画信号を記録媒体に記録する記録手段と、記録開始の指示に応じて前記動画信号の記録を開始し、前記動画信号の記録開始後、所定時間が経過したことに応じて自動的に記録を停止するように前記記録手段を制御する制御手段とを備え、前記動画信号の記録開始後、前記所定時間時間よりも短い第１の時間が経過するまでに所定の操作部からの指示を受けたことに応じて、前記動画信号の記録を停止して前記記録を停止した動画信号を前記記録媒体から消去するように前記記録手段を制御する。
【発明の効果】
【０００７】
本発明によれば、一定時間記録中に所定の操作部からの指示を受けた場合、自動的に記録をキャンセルすることができる。
【図面の簡単な説明】
【０００８】
【図１】実施形態の撮像装置の構成を示す図である。
【図２】動画処理を示すフローチャートである。
【図３】一定時間記録モードのフローチャートである。
【図４】一定時間記録モードの画面表示例である。
【発明を実施するための形態】
【０００９】
以下、本発明の撮像装置の実施形態を示す。
【実施例１】
【００１０】
以下、図面を参照して本発明の実施例１を説明する。
【００１１】
図１は本発明の実施形態の撮像装置の構成を示す図である。１０１は光電変換を行う撮像素子、１０２は撮像した信号のサンプリングやＤＡ変換を行うアナログフロントエンド回路である。１０３は入力された信号を映像信号に変換するカメラ信号処理回路、１０４は撮像装置のシステム制御を行うシステムコントローラ、１０５は動画の記録開始および停止を指示する動画記録開始・停止スイッチである。１０６は通常記録モードと一定時間記録モードの切り替えを行う記録モード切り替えスイッチ、１０７は再生モードと記録モードの切替を行う動画再生・記録切替スイッチである。１０８は映像信号を所定の記録フォーマットの動画データに変換し、記録メディアへ記録するレコーダ信号処理回路である。１０９は動画データの読み書きを制御するメモリコントローラ、１１０は動画データを記憶するメモリ、１１１は映像信号に表示信号を重畳して表示させるためのミックス回路である。１１２は出力端子（図示せず）から映像信号をモニタ（表示装置）に出力するためのモニタ出力回路、１１３はモニタである。
【００１２】
まず撮像装置における動画像の信号の流れについて説明する。通常記録モード或いは一定時間記録モード時、撮像装置１０１に入射した光は光電変換され、アナログフロントエンド回路１０２において信号のサンプリングとディジタルデータへの変換がおこなわれる。ＡＦＥ１０２からの動画信号はカメラ信号処理回路１０３へ入力され、ガンマ制御や色制御等の処理が施される。レコーダ信号処理回路１０８は、カメラ信号処理回路１０８からの動画信号を所定の記録フォーマットに適した形式に変換し、出力する。また、レコーダ信号処理回路１０８は、受け取った動画信号をミックス回路１１１に出力する。メモリコントローラ１０９は、記録媒体としてのメモリ１１０に動画信号を記録する。また、ミックス回路１１１は、レコーダ信号処理回路１０８からの動画と、システムコントローラからの各種の情報を多重してモニタ出力回路１１２に出力する。モニタ出力回路１１２は、受け取った動画や各種の情報をモニタ１１３に表示する。
【００１３】
再生モード時は、メモリ１１０に記録されている動画データがメモリコントローラ１０９により再生され、レコーダ信号処理回路１０８に出力される。レコーダ信号処理回路１０８は、再生された動画信号を元の動画に変換し、ミックス回路１１１に出力する。ミックス回路１１１は、再生された動画信号と、システムコントローラ１０４により生成される通知情報を多重してモニタ出力回路１１２に出力する。モニタ出力回路１１２は、受け取った動画や各種の情報をモニタ１１３に表示する。
【００１４】
本実施形態では、通常記録モードと一定時間記録モードとを持つ。通常記録モードでは、ユーザによる記録開始の指示に応じて動画の記録を開始し、記録停止の指示に応じて動画の記録を停止する。一定時間記録モードでは、ユーザによる記録開始の指示に応じて動画の記録を開始する。そして、記録開始後、ユーザによる記録の指示がなくても、所定時間が経過したことに応じて、自動的に動画の記録を停止する。
【００１５】
次に図２のフローチャートを用いて、一定時間記録モード及び通常動画記録モードの処理を説明する。
【００１６】
記録モード時は判定２０１により動画記録開始・停止スイッチを監視し、前記スイッチ押下を検出した直後に判定２０２により切替スイッチにより一定時間動画像として記録するか、通常動作として記録するかを確認する。一定時間動画像として記録する場合、処理２０３にて記録動画像は図１のメモリ１１０内へ一定時間動画像として記録される。この後システムコントローラが記録時間を常に監視する判定２０５により、予め設定されている記録上限時間を上回ったことを検出した時には記録をユーザによる操作によらず終了する。又前記判定２０２により通常動作として記録する場合には処理２０４にて記録動画像は図１のメモリ１１０内へ通常動画像として記録される。この後判定２０６により記録停止スイッチ押下を検出した時に記録を終了する。それ以外は記録を継続する。
【００１７】
次に図３のフローチャートを用いて記録時間に依存した動作選択処理の流れの一例を、記録時間を３分割し、自動判定させる機能をキャンセル機能、予約機能としたケースについて説明する。
【００１８】
処理３０１により一定時間動画像の記録を開始すると、まず判定３０２により記録時間ｔが最大記録時間（所定時間）を越えていないか判定する。最大記録時間を超えていた場合、処理３０３により記録動画像を保存する。その後判定３０４により次回予約フラグが設定されているかを判定する。判定結果が「予約あり」の場合、再度処理３０１より記録処理を再開する。判定結果が「予約なし」の場合、処理を終了する。
【００１９】
又、判定３０２により最大記録時間を越えていないと判定された場合、判定３０５によりＲＥＣキーが押下されているかを判定する。押下されていない場合、判定処理３０２より処理を再開する。
【００２０】
ＲＥＣキーが押下されている判定の場合、０＜Ｔ１（第１の時間）＜Ｔ２（第２の時間）＜最大記録時間の関係にあるＴ１と記録時間ｔを判定処理３０６により比較する。判定結果がｔ＜Ｔ１の場合、ユーザよりキャンセル要求が発生したとみなし、処理３０７により記録を停止し、直前に記録された動画信号をメモリ１１０より消去する。判定結果がｔ≧Ｔ１の場合、前記Ｔ２と記録時間ｔを判定処理３０８により比較する。判定結果がｔ＜Ｔ２の場合、誤操作防ぐ目的としたユーザの要求を無効とする区間とし、判定処理３０２より処理を再開する。判定結果がｔ≧Ｔ２の場合、終了後に再度記録の開始要求をうけたとみなし、予約フラグを設定する。これにより記録終了後の判定３０４により記録終了後すぐに記録を開始することとなる。
【００２１】
図４は一定時間記録モードにおけるモニタ１１３の表示画面を示す図である。
【００２２】
０＜Ｔ１＜Ｔ２＜最大記録時間の関係にある、０〜Ｔ１の区間でのプログレスバー表示を４０２により表現し、その処理内容「キャンセル機能」を同画面上に表示する。同様にＴ２〜最大記録時間の区間のプログレスバー表示を４０４により表現し、その処理内容「次回予約」を同画面上に表示する。
【００２３】
Ｔ１〜Ｔ２の区間は処理を行わないので、プログレスバーのみ表示し、処理内容は表示しない。又、記録開始すると、プログレスバー４０１が新たに表示され、前記０〜Ｔ１〜Ｔ２〜最大記録時間のどの区間に現在の記録時間があり、その際のＲＥＣキー押下時の処理内容が何かが明確にわかるようになる。
【００２４】
この様に、本実施形態では、撮像手段と、撮像手段により得られた動画信号を記録媒体に記録する記録手段を備える。また、本実施形態では、記録開始の指示に応じて動画信号の記録を開始し、動画信号の記録開始後、所定時間が経過したことに応じて自動的に記録を停止するように記録手段を制御する制御手段を備える。また、本実施形態では、動画信号の記録開始後、第１の時間が経過するまでに所定の操作部からの指示を受けたことに応じて、動画信号の記録を停止して動画信号を記録媒体から消去する。また、本実施形態では、第１の時間よりも長い第２の時間が経過した後で前記所定の操作部からの指示を受けたことに応じて、所定時間が経過した後も動画信号を記録する。また、本実施形態では、所定の操作部の操作に応じて前記動画信号の記録を開始するように記録手段を制御する。
【００２５】
これら処理により、ユーザのＲＥＣキー押下のタイミングにより記録キャンセル要求、記録予約要求を自動判定し、ユーザの要求に柔軟に対応することが可能となる。
【００２６】
以上説明した通り、一定時間記録中にユーザによる記録操作が発生した場合、経過時間に応じて、キャンセル機能を割り当てることで後でのユーザによる記録を消去する手間が発生しない処理を実現できる。また、処理選択の時間分割を３分割以上に設定し、画面上に表示することで、きわどいタイミングでの処理による誤操作をしにくくすることができるようになる。
【図１】
2013021657.tif 000003
【図２】
2013021657.tif 000004
【図３】
2013021657.tif 000005
【図４】
2013021657.tif 000006